(57)【要約】【課題】予算の費目ごとの額を小銭及び札に区別して収納でき、しかも小銭及び札の出し入れが簡単な財布を提供する。【解決手段】現金収納部として小銭入れ部１００及び札入れ部２００を有する。小銭入れ部１００は６個の小銭入れでなり、札入れ部２００も６個の札入れでなる。カバー１ａが閉じられたとき、全ての小銭入れの開口は閉止され、各札入れの開口もカバー１ａで覆われる。この財布では、小銭入れと札入れとが同数（各６個）設けてあるので、家計における支出費目ごとの予算額を各小銭入れおよび各札入れに予め収納しておき、支出の際には、支出の費目に応じた小銭入れ及び札入れから小銭及び札をそれぞれ取り出すことにより、家計簿を付けなくても、現金収支の管理が容易にできる。【選択図】      図１
2006025827.tif 000002
【特許請求の範囲】
【請求項１】
予算の費目にそれぞれ対応した小銭入れ及び札入れを備え、該費目ごとの予算額の現金の区分け収納、及び該費目ごとの予算額の該現金における小銭と札との区分け収納を可能にする予算費目ごと収納用財布において、
複数の小銭入れ及び札入れでなる貨幣収納部を備え、該小銭入れの数をＰ、該札入れの数をＱとするとき、Ｐ＝Ｑであり、前記貨幣収納部における全ての前記小銭入れ及び札入れの開口を開閉する１つの覆い部を備えることを特徴とする予算費目ごと収納用財布。
【請求項２】
前記小銭入れは、前列および後列の２列に配列され、該前列および後列には少なくとも２つの小銭入れがそれぞれ配列され、
前記札入れは、前記後列に配列された小銭入れの後ろ側に配置してある
ことを特徴とする請求項１に記載の予算費目ごと収納用財布。
【請求項３】
領収書入れを備えることを特徴とする請求項１又は２に記載の予算費目ごと収納用財布。
【請求項４】
前記各小銭入れの少なくとも一部の領域には互いに異なる色彩がそれぞれ施してあり、
前記各札入れの少なくとも一部の領域には、前記費目に関し対応する前記各小銭入れの前記色彩と同じ色彩がそれぞれ施してある
ことを特徴とする請求項１，２又は３に記載の予算費目ごと収納用財布。
【発明の詳細な説明】
【技術分野】
【０００１】
本発明は、金銭の収納し、携帯する財布に関し、特に家計などの会計における主要な費目ごとの予算額をそれぞれ収納する区分け収納部が設けてあり、費目ごとの残高の把握を容易にした財布に関する。
【背景技術】
【０００２】
上記のように、家計簿における主要な費目ごとの予算額をそれぞれ収納する区分け収納部が設けてあり、費目ごとの残高の把握を容易にする目的の財布として、特許文献１（特開平１１−９９０１０）に記載のものがある。図１２は、特許文献１に開示された財布の斜視図である。図１２の財布は、財布内部に８個仕切り104を設け、各々の仕切り104に家計簿の費目を記載した費目カード107を収納することができる費目カード収納部105を設けてなる。図１２において、102はスライドファスナー、103はお金収納部、106は財布である。
【０００３】
別の従来の財布として特許文献２（特願２００２−９５５１１）に記載のものがある。図１３は特許文献２に開示された財布の斜視図、図１４は図１３の財布の展開図である。図１３及び図１４に記載の財布は、ファスナー（F）で開閉する筐体（1a）部と、扁平なポケット部（1b）とでなる。そして、図１３及び図１４に記載の財布は、筐体（1a）には４個の硬貨用収納部[小銭入れに相当]（3）を有し、また扁平なポケット部（1b）には４箇所の紙幣類の収納部[札入れに相当]（4）、カード類の収納部（5），（6）を有している。図１３の財布は、硬貨用収納部を複数個設けているので、硬貨をその種類別（金額別）に分類して収納でき、視覚障害者に便利である旨が特許文献２に記述されている。図１３及び図１４において、（1）は財布、（2）は折り曲げ部、（7）はスナップボタン、（15）は突子である。
【０００４】
【特許文献１】特開平１１−９９０１０
【特許文献２】特願２００２−９５５１１
【発明の開示】
【発明が解決しようとする課題】
【０００５】
前述の特許文献１に記載された図１２の財布では、札入れと想像される形のお金収納部３を８個有するが、小銭入れは備えていない。この構造の財布では、小銭は札と一緒のお金収納部３に収納する他ない。形、重さの全く相違する札と小銭とが同一のお金収納部３に混在すると、小銭の出し入れが大変に不便であるから、特許文献１に記載の財布はほとんど実用に供し難い。
【０００６】
また、前述の特許文献２に記載された財布では、筐体（1a）に硬化用収納部[小銭入れ]3を４個備え、扁平なポケット部（1b）に紙幣類の収納部[札入れ]4を４個備える。ところが、その筐体（1a）はファスナー（F）で開閉する構造であるのに対し、他方の扁平なポケット部（1b）は、筐体（1a）の外に付属されたものであり、スナップボタン7で２つ折にして連結される構造である。そこで、この引用文献２に記載された財布では、買い物などにおいて、財布から小銭と札とを取り出す際には、〔１〕ファスナー（F）を開いて小銭を取り出し、次に〔２〕ファスナー（F）を閉じ、〔３〕スナップボタン７を開放して札を取り出し、〔４〕スナップボタン７を締めるという４つの手順を要する。
【０００７】
また、特許文献２の財布は、硬貨をその種類別（金額別）に分類して収納することを目的としている。したがって、硬貨の種類が１円、５円、１０円、５０円、１００円及び５００円なる６種類であるときには、それらの硬貨を種類ごとに分類して収納するには、小銭入れとして６個の収納部を要する。他方、札入れも小銭入れと同様に、その種類ごとに分類して収納しようすれば、例えば紙幣が1,000円、5,000円、10,000円なる３種類であれば、札入れは３箇所で足り、札入れの数は小銭入れの数と同じにはならない。したがって、特許文献２の財布では小銭入れと札入れとが同数とはならず、予算の費目ごとに区別して、しかも各費目ごとに小銭及び札を分けて収納しようとするとき、特許文献２の財布は利用できない。
【０００８】
そこで、本発明の目的は、予算の費目ごとの額を区別して収納する複数の現金収納部を備え、費目ごとの予算額を小銭及び札に区別して収納でき、しかも小銭及び札の出し入れが簡単な財布の提供にある。
【課題を解決するための手段】
【０００９】
前述の課題を解決するために本発明は次の手段を提供する。
【００１０】
（１）予算の費目にそれぞれ対応した小銭入れ及び札入れを備え、該費目ごとの予算額の現金の区分け収納、及び該費目ごとの予算額の該現金における小銭と札との区分け収納を可能にする予算費目ごと収納用財布において、
複数の小銭入れ及び札入れでなる貨幣収納部を備え、該小銭入れの数をＰ、該札入れの数をＱとするとき、Ｐ＝Ｑであり、前記貨幣収納部における全ての前記小銭入れ及び札入れの開口を開閉する１つの覆い部を備えることを特徴とする予算費目ごと収納用財布。
【００１１】
（２）前記小銭入れは、前列および後列の２列に配列され、該前列および後列には少なくとも２つの小銭入れがそれぞれ配列され、
前記札入れは、前記後列に配列された小銭入れの後ろ側に配置してある
ことを特徴とする前記（１）に記載の予算費目ごと収納用財布。
【００１２】
（３）領収書入れを備えることを特徴とする前記（１）又は（２）に記載の予算費目ごと収納用財布。
【００１３】
（４）前記各小銭入れの少なくとも一部の領域には互いに異なる色彩がそれぞれ施してあり、
前記各札入れの少なくとも一部の領域には、前記費目に関し対応する前記各小銭入れの前記色彩と同じ色彩がそれぞれ施してある
ことを特徴とする前記（１），（２）又は（３）に記載の予算費目ごと収納用財布。
【発明の効果】
【００１４】
上述の本発明によれば、予算の費目ごとの額を区別して収納する複数の現金収納部を備え、費目ごとの予算額を小銭及び札に区別して収納でき、しかも小銭及び札の出し入れが簡単な財布を提供できる。本発明の財布を使用すれば、家計簿を付けることなく、予算の費目別に現金の出納を簡易に管理でき、ひいては、予算を超過して支出をすることがなく、費目ごとの残高が一見して分かるので使途不明金が出難い。また、この財布によれば、小銭と紙幣との両方を収受する買い物などの際にも、１つの覆い部を開閉するという簡単な操作で小銭と紙幣との両者を出し入れできるので、現金の出し入れの際の心理的負担が少ない。
【発明を実施するための最良の形態】
【００１５】
次に図面を参照して、本発明の一実施の形態を説明する。図１は、本発明の一実施の形態を示す斜視図である。図２は、図１の実施の形態を図１とは異なる角度から見た斜視図である。図３は、図１の実施の形態の正面図である。図４は、図１の実施の形態の背面図である。図５は、図１の実施の形態の側面図である。図６は、図１の実施の形態の平面図（Ａ）及び底面図（Ｂ）である。図７は、図３のＡ-Ａ矢視断面図である。図８は、図３のＢ-Ｂ矢視端面図である。図９は、カバーを開いた状態における図１の実施の形態の正面図である。図１０は、カバーを開いた状態における図１の実施の形態の背面図である。図１１は、カバーを開いた状態における図１の実施の形態の側面図である。これらの図において、１は表革、１ａはカバー、１ｂは上部折り曲げ部、１ｃは背面部、１dは下部折り曲げ部、１ｅはカード入れ、２は前面革、３，４は仕切り革、１１，１２，１３，１４，２１，２２，２３，２４は蛇腹、５０ａはホック凹部、５０ｂはホック凸部、５０ｃはホック固定部、１００は小銭入れ部、２００は札入れ部、ａ，ｂ，ｃ，ｄ，ｅ，ｆは小銭入れである。
【００１６】
本実施の形態の財布は、革製である。ただし、本発明の財布が皮製に限定されるものではないことは、勿論である。表革１は、他の部分の革に比べてやや堅めで、やや厚手であって、長期の使用期間にわたって一定の形を保持するしっかりした材質の革でなる。カバー１ａ、上部折り曲げ部１ｂ、背面部１ｃ、下部折り曲げ部１d及びカード入れ１ｅは、一体であり、表革１でなっている。
【００１７】
本実施の形態の財布は、現金収納部として小銭入れ部１００及び札入れ部２００を有し、その他の収納部としてカード入れ１ｅ及び領収書入れを有する。小銭入れ部１００は、小銭入れａ，ｂ，ｃ，ｄ，ｅ，ｆでなる。小銭入れａ，ｂ，ｃ，ｄ，ｅ，ｆは、前面革２及び仕切り革３，４で前後を仕切られ、蛇腹１１，１２，１３，１４，２１，２２，２３，２４で左右を仕切られて構成されている。カード入れ１ｅは、表革１の前面部分でなり、前面革２の下半分との間の隙間にキャッシュカード等を収納できるように構成してある。
【００１８】
札入れ部２００は、仕切り革４及び仕切り革４の後ろ側の同様な形状の６枚の仕切り革でなり、これら７枚の仕切り革の間を札入れとしている。札入れ部２００における最も後ろ側の仕切り革と背面部１ｃとの間の隙間が、領収書入れとなっている。
【００１９】
カバー１ａの内側にはホック凹部５０ａが、ホック凹部５０ａをカバー１ａに固定するホック固定部５０ｃがカバー１ａの外側に設けてある。また、カード入れ１ｅの前面にはホック凸部５０ｂが設けてある。カバー１ａをカード入れ１ｅ側に曲げ、ホック凹部５０ａをホック凸部５０ｂに当接させ、ホック固定部５０ｃをホック凸部５０ｂに向けて押すことにより、ホック凸部５０ｂとホック凹部５０ａとを嵌め合わせることができる。ホック凸部５０ｂとホック凹部５０ａとが嵌合したとき、カバー１ａの閉じた状態は完成する。このとき、小銭入れａ，ｂ，ｃ，ｄ，ｅ，ｆの開口部がカバー１ａで背面部１ｃ側に押されて、小銭入れａ，ｂ，ｃ，ｄ，ｅ，ｆの開口は閉止され、各小銭入れに収納された小銭は、財布を傾けても内部に保持され、外にこぼれ出ることはない。また、カバー１ａが閉じた状態では、札入れ部２００の各札入れの開口はカバー１ａで覆われるので、各札入れに収納された札は、各札入れ内に保持され、外に出ることはない。
【００２０】
この実施の形態の財布では、小銭入れａ，ｂ，ｃ，ｄ，ｅ，ｆと同数の札入れが設けてあるので、家計における支出費目ごとの予算額を小銭入れａ，ｂ，ｃ，ｄ，ｅ，ｆおよび各札入れに予め収納しておき、支出の際には、支出の費目に応じた小銭入れ及び札入れから小銭及び札をそれぞれ取り出して、支出すれば、家計簿を付けなくても、現金の収支の管理が容易にできる。
【００２１】
例えば、食費、化粧品や家庭用雑貨などの日用品費、バス代等の交通費、映画・旅行等の娯楽費、書籍・雑誌・セミナー参加費などの自己研鑽費およびその他の費目（計６つの費目）について、１ヶ月の予算を立て、各費目ごとの予算額の現金を小銭入れａ，ｂ，ｃ，ｄ，ｅ，ｆ及び６個の札入れに夫々仕分けして収納する。６個の札入れを、いまＡ，Ｂ，Ｃ，Ｄ，Ｅ及びＦとし、夫々小銭入れａ，ｂ，ｃ，ｄ，ｅ及びｆに対応するものとする。そして、支出に当たっては、パンの購入費は、ａ，Ａから、口紅やティッシュペーパの購入費はｂ，Ｂから、タクシー代はｃ，Ｃから、映画入場券の代金はｄ，Ｄから、月刊誌の購入費はｅ，Ｅから、突然の風邪による診療代はｆ，Ｆから夫々取り出し支出することにより、残高は常に目視により確認できる。そこで、ａ，Ａの額が不足しそうであれば外食に代えて自炊し、或いはｄ，Ｄの額に余裕があるようであれば映画鑑賞で精神のリフレッシュをする、と言うように、任意の機会に即座に生活の態様を変えることができ、積極的で前向きな生活が容易に行える。もし、同様な現金管理を家計簿で行おうとすると、大抵は帰宅して机に向かう必要があるので時間と場所に制約があるし、また面倒でもあり、継続して実行するのは容易でない。
【００２２】
また、本実施の形態の財布では、小銭入れａ，ｂ，ｃ，ｄ，ｅ，ｆ及び札入れＡ，Ｂ，Ｃ，Ｄ，Ｅ及びＦが、１つのカバー１ａで一度に開閉できるので、小銭と紙幣との両方を収受する買い物などの際にも、１つのカバー１ａ（前述の覆い部に相当）を開閉するという簡単な操作で小銭と紙幣との両者を出し入れできるので、現金の出し入れの際の心理的負担が少ない。
【００２３】
なお、以上実施の形態を挙げ、本発明を具体的に説明したが、本発明がこの実施の形態に限定されるものでないことは勿論である。材料は、前述のように、皮革に限らず、布製でも、或いは合成皮革製でもよい。また、小銭入れａ，ｂ，ｃ，ｄ，ｅ及びｆ並びに札入れＡ，Ｂ，Ｃ，Ｄ，Ｅ及びＦに、対応する費目ごとに異なる色彩を施してもよい。例えば、ａ及びＡには緑、ｂ及びＢには赤、ｃ及びＣには青、ｄ及びＤには桃色、ｅ及びＥには茶、ｆ及びＦには灰色を着色する。着色する範囲は、各小銭入れ及び札入れの全領域、或いは各小銭入れ及び札入れの縁のみといった具合に、美的観点も加えて任意に選択すればよい。また、領収書入れは実施の形態では１箇所だけであったが、領収書入れも小銭入れや札入れと同数にすれば、領収書の管理も一層簡単になる。
【図面の簡単な説明】
【００２４】
【図１】本発明の一実施の形態を示す斜視図である。
【図２】図１の実施の形態を図１とは異なる角度から見た斜視図である。
【図３】図１の実施の形態の正面図である。
【図４】図１の実施の形態の背面図である。
【図５】図１の実施の形態の側面図である。
【図６】図１の実施の形態の平面図（Ａ）及び底面図（Ｂ）である。
【図７】図３のＡ-Ａ矢視断面図である。
【図８】図３のＢ-Ｂ矢視端面図である。
【図９】カバーを開いた状態における図１の実施の形態の正面図である。
【図１０】カバーを開いた状態における図１の実施の形態の背面図である。
【図１１】カバーを開いた状態における図１の実施の形態の側面図である。
【図１２】従来の財布を示す斜視図である。
【図１３】従来の別の財布を示す斜視図である。
【図１４】図１３の従来の財布を示す展開図である。
【符号の説明】
【００２５】
１    表革
１ａ    カバー
１ｂ    上部折り曲げ部
１ｃ    背面部
１d    下部折り曲げ部
１ｅ    カード入れ
２    前面革
３，４    仕切り革
１１，１２，１３，１４，２１，２２，２３，２４    蛇腹
５０ａ    ホック凹部
５０ｂ    ホック凸部
５０ｃ    ホック固定部
１００    小銭入れ部
２００    札入れ部
ａ，ｂ，ｃ，ｄ，ｅ，ｆ    小銭入れ
【図１】
2006025827.tif 000003
【図２】
2006025827.tif 000004
【図３】
2006025827.tif 000005
【図４】
2006025827.tif 000006
【図５】
2006025827.tif 000007
【図６】
2006025827.tif 000008
【図７】
2006025827.tif 000009
【図８】
2006025827.tif 000010
【図９】
2006025827.tif 000011
【図１０】
2006025827.tif 000012
【図１１】
2006025827.tif 000013
【図１２】
2006025827.tif 000014
【図１３】
2006025827.tif 000015
【図１４】
2006025827.tif 000016